(57)【要約】【課題】  本発明が解決しようとする課題は、放熱器の変形を防ぎ、施工性のよい照明器具を提供することである。【解決手段】本発明の実施形態である照明器具は、本体と、前記本体の前面側に設けられる光源部と、前記本体の背面側に一方が熱的に接続して設けられる薄板状に形成された複数のフィンからなる放熱器と、前記フィンの他方に、隣接する複数の前記フィン間に渡って取付けられ前記フィンの変形を抑制する長尺状の第１保護部材と、を備える。【選択図】図１
2018139189.tif 000002
【特許請求の範囲】
【請求項１】
本体と；
前記本体の前面側に設けられる光源部と；
前記本体の背面側に一方が熱的に接続して設けられる薄板状に形成された長手方向と短手方向を有する複数のフィンを備える放熱器と；
前記フィンの他方外縁に、隣接する複数の前記フィン間に渡って取付けられる長尺状の第１保護部材と；
を備えることを特徴とする照明器具。
【請求項２】
前記第１保護部材は、断面が略コの字状になることを特徴とする請求項１に記載の照明器具。
【請求項３】
前記複数のフィンのうち、最外殻フィンの長手方向にも設けられて前記最外殻フィンの変形を抑制する第２保護部材を備えることを特徴とする請求項１および請求項２のいずれかに記載の照明器具。
【請求項４】
前記第２保護部材は、断面が略コの字状になることを特徴とする請求項３のいずれかに記載の照明器具。
【請求項５】
前記本体の側面に取付けられる取付部と；
前記取付部と離間し、かつ前記他方が露出して設けられる前記放熱器と；
前記光源部と電気的に接続して電気を供給する本体とは別置される電源と；
を備えることを特徴とする請求項１ないし請求項４のいずれかに記載の照明器具。
【発明の詳細な説明】
【技術分野】
【０００１】
本発明の実施形態は、放熱器を用いる照明器具に関する。
【背景技術】
【０００２】
従来、例えば高天井用等の照明器具では、基板に複数の発光素子を実装した発光モジュールを用いる場合、発光素子が発生する熱を効率よく放熱するために発光モジュールを放熱器に取付けている。
【０００３】
そして、放熱器は、発光モジュールを取付ける本体、およびこの本体から突出する複数の放熱フィンを備えている。
【０００４】
押し出し形成などで作られる放熱フィンは、フィンの一枚ずつに厚みがあるため、器具全体の重量が増大する課題があった。
【０００５】
また、軽量化のため薄板状に形成された放熱フィンを本体に取り付けると、面方向からの圧力に弱く、施工者が器具を運ぶ際、物との衝突などによって変形する恐れがあった。
【先行技術文献】
【特許文献】
【０００６】
【特許文献１】特開２０１６−１６２７０６号公報
【発明の概要】
【発明が解決しようとする課題】
【０００７】
本発明が解決しようとする課題は、放熱器の軽量化とともに放熱器の変形を防ぎ、施工性のよい照明器具を提供することである。
【課題を解決するための手段】
【０００８】
本発明の実施形態は、本体と、前記本体の前面側に設けられる光源部と、前記本体の背面側に一方が熱的に接続して設けられる薄板状に形成された長手方向と短手方向を有する複数のフィンを備える放熱器と、前記フィンの他方外縁に、隣接する複数の前記フィン間に渡って取付けられる長尺状の第１保護部材と、を備える。
【発明の効果】
【０００９】
本発明によれば、軽量かつ少ない部材によって放熱器の変形を防ぐことが可能であり、施工性の向上も期待できる。
【図面の簡単な説明】
【００１０】
【図１】本発明の第１の実施形態を示す斜視図である。
【図２】本発明の第１の実施形態を示す背面図である。
【図３】図２におけるA−A’ での断面図の一部を示す図である。
【図４】図２におけるB−B’ での断面図の一部を示す図である。
【図５】本発明の第１の実施形態における本体1、放熱器4、第１および第２保護部材51、52および光源部6を示す斜視図である。
【図６】図５におけるCの拡大図である。
【図７】本発明の第２の実施形態における本体1、放熱器4、第１保護部材51および光源部6を示す斜視図である。
【図８】本発明の第３の実施形態における本体1、放熱器4、第１保護部材51および光源部6を示す斜視図である。
【図９】本発明の第４の実施形態における本体1、放熱器4、第1保護部材51および光源部6を示す斜視図である。
【発明を実施するための形態】
【００１１】
本発明の実施形態である照明器具は、例えば体育館等の建物内の天井に設置され、広い照明空間を照明するのに用いられる。
【００１２】
以下、本発明の第１の実施形態を図１ないし図６を参照して説明する。なお、本発明の実施形態である照明器具を建物内の天井等に設置した際に、発光する光源部6側を前面側、取付面となる天井側を背面側として説明する。また、前面側方向を下方向、背面側方向を上方向として上下方向を説明する。なお、これらはあくまで実施形態の一例であり、各部材の寸法や配列の間隔を厳密に定義するものではない。
【００１３】
本発明の第１の実施形態は、図１に示すように、薄板状の金属などで形成された本体1と、本体1の一対の側面から延伸するように設けられる取付板11と、本体1の前面側に取付けられる例えばLED素子などからなる光源部6と、本体1の背面側に突出して熱的に接続される放熱器4と、放熱器4の背面側に渡って取付けられる略コの字状のアーム2と、放熱器4の背面側かつアーム2の一対の側面間に取付けられて光源部6と電気的に接続される電源3とからなる。放熱器4の背面側および側面側は露出しており、効率のよい放熱が可能となる。このとき電源3は、照明器具とは別置として器具の軽量化やメンテナンス性の向上を図ってもよい。
【００１４】
アーム2は、板金などで形成される。図１に示すように、アーム2は、天井等にネジ部材などによって取付けるための固定孔21が背面側に複数設けられている。また、照明器具の運搬などで施工者が触れる頻度の多いアーム2背面側の水平部は、短手方向中心および本体1背面側に向けて縁部が曲折されて形成されている。この構造により、アーム2は薄板状でありながら変形しにくい強度を備える。
【００１５】
また、アーム2の対向する一対の側面には、取付板11と取付けられて支持固定を行う取付孔221および本体1の角度調整を行うための長孔222が設けられている。以下、この取付孔221および長孔222を合わせて取付部22とよぶ。取付部22はネジ部材などにより取付板11に取付けられる。
【００１６】
放熱器4は、本体1に略垂直に背面側へ突出して設けられる複数の略長方形状をした薄板であるフィン41などからなる。フィン41は軽量化のため薄く形成されており、溶接などにより本体1へ取付けられる。このとき、フィン41の上下方向が前記略長方形状の短手方向である。また、この短手方向と略直交する方向が前記略長方形状の長手方向である。フィン41は長手方向の辺である長辺の一方が本体1と接続される。これに対し、以下フィン41の本体1と接触しない部位は全て他方とよぶこととする。複数のフィン41はアルミニウムなど熱伝導性に優れた金属からなり、本体1の背面側に、フィン41の一方が一定の間隔で並列接続される。フィン41の他方の長辺は背面側へ突出し、後述の第１および第２保護部材51、52が設けられない部分では露出している。
【００１７】
以下、フィン41において、背面側からみて長手方向端部となる部分を背面側外縁部、側面からみて他方側の長手方向端部（一方を除く短手方向の辺）を側面側外縁部と称する。
【００１８】
放熱器4の背面側外縁部を覆う略矩形の保護部材は、図２に示されるB−B’方向でありフィン41の長手方向と背面側から見て略直交する方向に設けられる第１保護部材51と、図２に示されるA−A’方向でありフィン41の長手方向に設けられる第２保護部材52からなる。
【００１９】
このとき、第１および第２の保護部材51、52は一体に形成されていてもよい。これによれば、部材数および工数の削減が可能となる。
【００２０】
また、第１および第２の保護部材51、52は、各々別個の長尺状部材として形成され、放熱器4の角部など第１および第２の保護部材51、52が略直角に接触する部位を不図示の略L字状固定具などで固定して取り付けるようにしてもよい。これによれば、第１および第２保護部材51、52に歪みが生じにくく、変形防止効果が期待できる。
【００２１】
第１および第２保護部材51、52は、放熱器4よりも圧力によって変形しにくい、例えば厚みがフィン41よりも厚く形成されているか、フィン41よりも硬度の高い樹脂製部材や金属部材などからなる長尺状の部材である。これにより、軽量化のためにフィン41を薄く形成しても、第１および第２保護部材51、52によって変形を防止できる。
【００２２】
保護部材は、第１保護部材51および第２保護部材52からなり、第１保護部材51は、図１および図３に示すように、放熱器4の複数のフィン41の他方側（第1の実施形態では背面側長辺の端部）に渡って取付けられる。
【００２３】
第１保護部材51は、複数のフィン41背面側外縁部に渡って取付けられるため、フィン41側である長尺面に複数の凹部511を有する。この凹部511にフィン41の他方側が差し込まれることで第１保護部材51は支持固定される。またこれにより、複数のフィン41は、隣接するフィン41間の間隔を保持固定されるため、面方向からの圧力によって倒れや歪みが生じることを防止できる。
【００２４】
第２保護部材52は、図１および図４に示すように、第１保護部材51の長尺方向に隣接するフィン41を有さない最外殻フィン41の他方側長辺に取付けられる。
【００２５】
第２保護部材52は、長尺方向と略直交する上下方向の断面において略コの字状に形成される。このコの字部分に最外殻フィン41の他方側端部を差し込むようにして第２保護部材52は支持固定される。これにより、最外殻フィン41の面方向からの圧力によってもフィン41長手方向の中心部が撓みにくくなり、放熱器4の変形を防止する。
【００２６】
このとき、第１保護部材51は、上下方向断面がコの字状となる第２保護部材の長尺方向側面の片側一部をカットして凹部511を設けた物であってもよい。その場合、部材の生産が途中まで同一工程を経るため、生産費用の削減につながる。
【００２７】
第１および第２保護部材51、52の最も望ましい形態としては、図３ないし図５に示すように、各保護部材51、52の短手方向断面が略コの字状となっており、フィン41の他方側を一部覆う形状となっている。この構造によれば、第１保護部材51は複数のフィン41の間に背面側から差して被せるように取付けられるため、複数のフィン41の間隔をより強固に保持固定する。また、フィン41他方側の縁部を覆うため、放熱器4が施工者の触れうる位置に露出していても衣服や物への引っかかりが生じにくく、施工効率の向上が見込める。
【００２８】
第２保護部材52は、同様に短手方向断面が略コの字状となり、本体1の外周付近に配設されたフィン41の長手方向他方側に取付けられる。これにより、第１保護部材51と同様に、施工者の触れうる位置に放熱器4が露出していても衣服や物への引っかかりが生じにくい。
【００２９】
また、図６に示すように、このとき第２保護部材52は、長手方向の各端部が第１保護部材51と略直角に設けられるとともに、第１保護部材51と一体として形成される。これにより、第１および第２保護部材51、52が互いに変形防止の効果を高めることが期待できる。これは施工者が触れてしまった際のみでなく、放熱器4背面側外縁部や最外殻フィン41の他方側長辺を施工の際、壁や床に誤って衝突させてしまったとしても変形を抑止できる効果がある。
【００３０】
また、第１および第２保護部材51，52を接続させるための新たな部材を設ける必要がなく、より少ない部材数による軽量な構成とすることができる。また、第１および第２保護部材51、52は放熱器4の背面側からフィン41に被せるようにして一度に取付ければよいため、工数の削減により生産性の向上が図れる。
【００３１】
本体1の前面側には、不図示の放熱シートなどを介して光源部6が配設される。光源部6はLEDなどの発光素子を複数備えた基板からなり、この発光素子からの発光を妨げない位置にネジ部材などが設けられて本体1と固定される。このとき、光源部6は、さらに前面側にレンズや反射鏡、透光性の拡散カバーといった光学部材を設けて照射効率を高めてもよい。また、不図示の放熱シートは、熱伝導性のよいゲル状材であるグリスなどを薄く塗布することで代わりとしてもよい。
【００３２】
以下、図７を参照して本発明の第２の実施形態について説明する。
【００３３】
図７は、本発明の第２の実施形態における本体1、放熱器4、第１保護部材51、51’ および光源部6のみを示す図である。なお、第２の実施形態は第１の実施形態から第２保護部材52を省き、第１保護部材51の変形例である第１保護部材51’ を加えた構成からなる。その他の部材については特段の記載がない限り第１の実施形態と同様のものである。
【００３４】
本発明の第２の実施形態は、複数のフィン41に渡って取付けられる第１保護部材51がフィン41長手方向端部にそれぞれ取付けられている。また、複数のフィン41長手方向の略中央部に、第１保護部材51の短手方向に凹部511が貫通した複数の凹部を備える第１保護部材51’ を備える。この第１保護部材51’ が取付けられることにより、フィン41の長手方向に沿って取付けられる保護部材52がなくとも、フィン41の面方向からの圧力による変形を防ぎ、吹く風のフィン41同士の間隔を強固に保持することが可能となる。
【００３５】
この構成によれば、フィン41の支持固定に重点を置くことで第２保護部材52を省略できるため、部材および工数の削減につながる。なお、第１保護部材51は複数のフィン41に渡って取付けられているものであればよく、例えば背面側から見て矩形状の放熱器4の各辺のみでなく、対角線上に設けられるように形成されていてもよい。この構造によれば、放熱器4の各側面方向からの圧力による変形を防止する効果が期待できる。
【００３６】
次に、本発明の第３の実施形態について図８を参照して説明する。
【００３７】
図８は、本発明の第３の実施形態における本体1、放熱器4および第１保護部材51を示す斜視図である。
【００３８】
本発明における第３の実施形態は、第１保護部材51の取付位置についての変形であり、その他の構成は特段の記載がない限り第１、第２の実施形態と同様である。複数のフィン41の他方側側面に渡って取り付けられる形態である。なお、他方側とは、フィン41が本体1と接続している部分を一方としたときの他方側であり、本体1に接触していない箇所であれば側面部分も他方に含まれる。
【００３９】
第３の実施形態における第１保護部材51は、凹部551に複数のフィン41の長手方向端部にあたる側面を差し込むようにして取付けられる。この時、第１の実施形態のように第２保護部材52をフィン41の長手方向に一体に設けて位置を支持固定してもよい。この構成によれば、フィン41を側面から支持できるため、第１の実施形態に比べて複数のフィン41間の保持および変形防止がより強固なものとなる。
【００４０】
また、凹部511の前面側をフィン41より広く、凹部511の背面側をフィン41と同じかやや狭くなるような形状に成型して差し込み、第１保護部材51を位置固定してもよい。この構成によれば、少ない部材で複数のフィン41の支持を行えるとともに、放熱器4の背面側を開放できるため、より効率のよい放熱が可能となる。
【００４１】
次に、図９を参照して本発明の第４の実施形態について説明する。第４の実施形態は第２の実施形態における本体1の形状および第１保護部材51の本数と第１保護部材51を設ける取付位置の変形例である。その他特に記載のない部材については第１の実施形態ないし第３の実施形態と同様である。
【００４２】
第４の実施形態における本体1は、第１ないし第３の実施形態における本体1よりも薄く形成され、フィン41と同様の薄さとして形成される。これにより、照明器具の軽量化を図ることができる。このとき、本体1とフィン41は押し出し形成によって一体に形成されていてもよいし、部材を薄く形成するために別部材とし、溶接などによって本体1に接続されてもよい。
【００４３】
また、第１保護部材51が放熱器4の外縁より内部に複数のフィン41の他方側に渡って取付けられている。これにより、第２の実施形態に比べ少ない第１保護部材51でフィン41の変形を防ぐことができるため、部材数の削減につながる。
【００４４】
本発明における第１の実施形態ないし第４の実施形態について、第１保護部材51は、本体1に接続される全てのフィン41に渡って取付けられている必要はない。例えば、最外殻フィン41から3枚のみに渡って取付けられたり、最外殻フィン41の2箇所のみに取付けられるように凹部511が設けられ、最外殻フィン41より内部の複数のフィン41における他方側に渡っている部分は、上下方向断面が略L字状となって他方背面側および他方側面側を覆っている構造としてもよい。この構造によれば、部材の原料を削減でき、費用の低減につながる。
【００４５】
本発明のいくつかの実施形態を説明したが、これらの実施形態は例として提示したものであり、発明の範囲を限定することは意図していない。例えば、放熱器4は略直方体状でなくともよく、複数ブロックに分かれた構成であってもよい。また、フィン41も略矩形でなく他の多角形や曲線や曲面を含む構造であってもよい。また、薄板状の部材の一方を曲折したものをフィン41とし、他方側が露出するように複数のフィン41を本体1の背面側に熱的に接続させてもよい。その場合、第１および第２保護部材51、52も、それらの放熱器4の他方側に取付けられる形であればよい。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４６】
1…本体
11…取付板
2…アーム
21…固定孔
22…取付部
221…取付孔
222…長孔
3…電源
4…放熱器
41…フィン
51…第１保護部材
51’ …第１保護部材
511…凹部
52…第２保護部材
6…光源部
【図１】
2018139189.tif 000003
【図２】
2018139189.tif 000004
【図３】
2018139189.tif 000005
【図４】
2018139189.tif 000006
【図５】
2018139189.tif 000007
【図６】
2018139189.tif 000008
【図７】
2018139189.tif 000009
【図８】
2018139189.tif 000010
【図９】
2018139189.tif 000011